(57)【特許請求の範囲】
【請求項１】
板状基材の相対向する側面に互いに嵌合可能な嵌合突出部と嵌合溝部を設けたリフォーム用床材であって、前記板状基材の裏面の周囲に全周に亘って、絨毯やカーペット等のパイルに刺し込まれる所定の長さを有する突起部の先端に前記パイルに絡む逆鉤状の係止部が設けられた係止部材を設け、前記板状基材の裏面の周囲に全周に亘って設けられた係止部材により前記板状基材の裏面に内側空間を形成したことを特徴とするリフォーム用床材。
【請求項２】
前記係止部材は、突起部の長さが１．０ｍｍ〜５．０ｍｍ、逆鉤状の係止部の長さが０．５ｍｍ〜３．０ｍｍであることを特徴とする請求項１に記載のリフォーム用床材。
【発明の詳細な説明】
【０００１】
【発明の属する技術分野】
本発明は住宅等の建築物の床のリフォームに際し、古い絨毯やカーペットを剥がさないで、且つ接着剤を使用しないで、その上に簡単に張り付け施工できるリフォーム用床材に関する。
【０００２】
【従来の技術】
従来、住宅等の建築物の床のリフォームに際し、床を絨毯やカーペットから木質の床へ張り替える場合、古い絨毯やカーペットを一旦剥がして除去し、さらにその下の床下地材を平滑に調整し直した後、その上に新しい床材を張りつけ施工していた。床下地材への床材の張り付けは、一般に、接着剤を使用したり場合によっては釘、ステープルを用いて張り付け施工していた。また、接着剤や釘、ステープル等を用いない簡便な施工方法として、従来、フック状係合素子とループ状係合素子を用いた面ファスナー（特開平４−１９４１６７号公報、特開平３−２０２５５１号公報）、起毛式ファスナー（特開平１０−１０２７３０号公報）が開示されている。
【０００３】
【発明が解決しようとする課題】
しかしながら、前記のような床を絨毯やカーペットから木質の床へ張り替える作業は、古い絨毯やカーペットを剥がす作業は大変手間と労力を必要とするばかりでなく、剥がした後の床下地材に古い接着剤が除去しきれずに残ったり、無理に絨毯やカーペットを引き剥がすと、床下地材表面の平滑性が失われたり、ひどい場合は床下地材の表面を痛めることがあった。
【０００４】
また、古いカーペットを剥がした後に、新しい床材を張り付けし直すことは大変な手間暇と労力がかかる作業であるばかりでなく、床下地材表面が傷んでいる場合は凹凸なく平滑に張り付けるのは至難の技であった。
【０００５】
また、特開平４−１９４１６７号公報、特開平３−２０２５５１号公報に開示されている前記面ファスナーはフック状係合素子とループ状係合素子の２種類の係合素子を組み合わせて初めて固定力が発揮されるものであり、床下地材上に貼着されるフック状係合素子と床材裏面に貼着されるループ状の係合素子の２種類の係合素子はその貼着される位置間隔が同一であることと且つ互いに平行させ、床材を床下地材上に張り付ける際、双方の位置関係を一致させる必要があった。従って、大変精度良く係合素子を貼着しないと固定力が半減するのである。また、貼着精度を向上させるには多大な手間暇を要し施工費が高くついた。また、床材に防音性能を持たせるには、隣接する面ファスナー間に遮音性緩衝部材を貼着しておく必要があり、このことも、コストにとって大変不利となっていた。また、特開平１０−１０２７３０号公報に開示されている、もう一方の起毛式ファスナーについても同様のことが言える。
【０００６】
本発明の目的は、床を絨毯やカーペットから木質の床へ張り替える場合、古い絨毯やカーペットを剥がすことなく、床材を極めて簡便に張り付け施工することができるリフォーム用床材を提供することにある。
【０００７】
【課題を解決するための手段】
上記目的を達成するために本発明にかかるリフォーム用床材は、板状基材の相対向する側面に互いに嵌合可能な嵌合突出部と嵌合溝部を設けたリフォーム用床材であって、前記板状基材の裏面の周囲に全周に亘って、絨毯やカーペット等のパイルに刺し込まれる所定の長さを有する突起部の先端に前記パイルに絡む逆鉤状の係止部が設けられた係止部材を設け、前記板状基材の裏面の周囲に全周に亘って設けられた係止部材により前記板状基材の裏面に内側空間を形成したことを特徴とする。
【０００８】
かかる構成から、板状基材の裏面を絨毯やカーペット等の上に押し付けると、板状基材の裏面に設けられた係止部材の突起部が絨毯やカーペット等のパイルに刺し込まれ、その先端に設けられた逆鉤状の係止部が前記絨毯やカーペット等のパイルに絡みつき、板状基材は絨毯やカーペット等の上に圧着固定される。また、前記板状基材の裏面の周囲に全周に亘って設けられた係止部材により前記板状基材の裏面に内側空間を形成したので、前記内側空間を、防虫剤、防蟻剤、防カビ剤や乾燥剤等の設置場所や樹木精油成分を含有する合成樹脂エマルジョンを塗布する場所として利用することができる。
【０００９】
また、前記板状基材の裏面に設けられる係止部材は、突起部の長さが１．０ｍｍ〜５．０ｍｍ、逆鉤状の係止部の長さが０．５ｍｍ〜３．０ｍｍであることが好ましい。
【００１０】
係止部材の突起部の長さが１．０ｍｍ〜５．０ｍｍであると、板状基材の裏面を絨毯やカーペット等の上に押し付けたとき、突起部が絨毯やカーペット等のパイル内に深く確実に刺し込まれ、逆鉤状の係止部の長さが０．５ｍｍ〜３．０ｍｍであると、絨毯やカーペット等のパイル内に刺し込まれた逆鉤状の係止部が絨毯やカーペット等のパイルにしっかりと絡みつき板状基材は絨毯やカーペット等の上により確実に圧着固定される。
【００１１】
【発明の実施の形態】
以下、本発明に係るリフォーム用床材の実施の形態の一例を図面により詳細に説明する。図１は本発明のリフォーム用床材の一実施形態を示す斜視図で床材裏面から見上げたところを示す。図２は図１のＡ−Ａ線拡大断面図、図３は図２のＢ部分の拡大断面図、図４は本発明のリフォーム用床材の施工状態を示す説明図である。
【００１２】
本例に示すリフォーム用床材１は、木質の板状基材２の表面に木質化粧材３が貼着され、該板状基材２の相対向する長手方向の側面には、互いに嵌合可能な嵌合突出部４と嵌合溝部５が設けられている。また、板状基材２の相対向する短手方向の側面にも、互いに嵌合可能な嵌合突出部４と嵌合溝部５が設けられている。
【００１３】
前記板状基材２としては、合板、削片板、繊維板、木材ムクなどが利用できるが、これら以外であってもよい。板状基材２の厚みはおよそ５．５ｍｍ〜１２ｍｍ程度が最適値である。板状基材２の厚みがこの範囲であると、歩行時の床沈み込み防止性能と床材の防音性能とのバランスが最適である。また、板状基材２の構成、形状等は従来からある通常の床材と同様である。また、表面の木質化粧材３としては木質の単板や突板、化粧紙、合成樹脂製化粧シート等が利用できる。木質化粧材料の貼着方法は従来から有る方法でよい。また、これら以外であってもよい。また、床材表面には従来から有る塗料や方法で塗装仕上げが施されている。例えば、熱硬化型、紫外線硬化型、電子線硬化型のウレタン樹脂、アミノアルキッド樹脂塗料を用いてロールコーター又はフローコーターで塗装される。また、これら以外であってもよい。
【００１４】
前記板状基材２の裏面には、絨毯やカーペット等のパイルに刺し込まれる所定の長さを有する突起部６ａの先端に前記パイルに絡む逆鉤状の係止部６ｂが設けられた係止部材６が設けられている。本例では、係止部材６は、シート部６ｃの表面に前記突起部６ａを立設した構成となっており、シート部６ｃの裏面を前記板状基材２の裏面に貼着した構成となっている。
【００１５】
前記係止部材６にあっては、その材質はナイロン、テトロン、ポリエステル、ビニロン等の合成樹脂製が適するが、これら以外の合成樹脂製であっても、又金属製であってもよい。施工時の強度、使い易さを考えるとシート部６ｃの厚さはおよそ０．１ｍｍ〜２．０ｍｍ程度が最も適する。シート部６ｃの表面に立設されている突起部６ａのピッチは３ｍｍ〜２０ｍｍの範囲が最適である。
【００１６】
ピッチがこの範囲であると、隣接する突起部６ａの係止部６ｂ間の隙間が適切となり、下地の絨毯やカーペットとの圧着固定力が十分発揮できる。また、前記突起部６ａは、根本の部分の太さが０．２ｍｍ〜１．０ｍｍ程度で、その長さは１．０ｍｍ〜５．０ｍｍ程度が最適である。この範囲であると、リフォーム用床材１を床下地材７上の絨毯やカーペット８に圧接した時、突起部６ａが絨毯やカーペット８のパイル８ａの深い位置まで十分入り込み、突起部６ａ先端にある係止部６ｂが絨毯やカーペット８のパイル８ａにしっかりと絡み合うことができる。
【００１７】
また、前記突起部６ａの先端に設けられている逆鉤状の係止部６ｂの長さＬは０．５ｍｍ〜３．０ｍｍが最適である。この範囲であると絨毯やカーペット８のパイル８ａと十分しっかりと絡み合うことができる。
【００１８】
前記板状基材２の裏面に設けられる係止部材６は、板状基材２の裏面の周囲に全周に亘って設けられており、該係止部材６により前記板状基材２の裏面に内側空間Ｓが形成されている。この内側空間Ｓは、防虫剤、防蟻剤、防カビ剤や乾燥剤等の設置場所として利用することができる。また、樹木精油成分を含有する合成樹脂エマルジョンを塗布する場所としても利用できる。
【００１９】
次に、上記のように構成されたリフォーム用床材１を下地の古い絨毯やカーペット８の上に圧着固定する場合について説明する。図４に示すように、床下地材７上の古い絨毯やカーペット８の上に、リフォーム用床材１を係止部材６を設けた裏面側を下にして置き、絨毯やカーペット８のパイル８ａと前記係止部材６が密着するように上から足で踏みつけて圧接する。これにより、前記係止部材６の突起部６ａが前記パイル８ａの深い位置まで入り込み、突起部６ａ先端の逆鉤状の係止部６ｂとパイル８ａが絡み合い、その後踏みつけることをやめると、絨毯やカーペット８のパイル８ａの復元力でリフォーム用床材１が押し戻され、前記パイル８ａと係止部６ｂが絡み合った状態のままでリフォーム用床材１が押し戻されるので、リフォーム用床材１が床下地材７の絨毯やカーペット８としっかりと圧着固定される。
【００２０】
【発明の効果】
以上のように本発明に係るリフォーム用床材によれば、板状基材の裏面を絨毯やカーペット等の上に押し付けることにより、板状基材の裏面に設けられた係止部材が絨毯やカーペット等のパイルに刺し込まれ、その先端に設けられた逆鉤状の係止部が前記絨毯やカーペット等のパイルに絡みつき、板状基材を絨毯やカーペット等の上に圧着固定することができるので、住宅等の建築物の床のリフォームに際し、古い絨毯やカーペットを剥がすことなくそのまま利用することができ、床材を古い絨毯やカーペットの上に押し当てるだけで、極めて簡便に張り付け施工が可能で、しかも施工に接着剤を必要とせず、且つ古い絨毯やカーペットが下地としてそのまま利用されるので、防音性能にも寄与するものとなるといった効果がある。また、前記板状基材の裏面に設けられる係止部材は、板状基材の裏面の周囲に全周に亘って設けられており、該係止部材により前記板状基材の裏面に内側空間が形成されているので、この内側空間を、防虫剤、防蟻剤、防カビ剤や乾燥剤等の設置場所として、また、樹木精油成分を含有する合成樹脂エマルジョンを塗布する場所として利用できるといった効果がある。
【図面の簡単な説明】
【図１】本発明に係るリフォーム用床材の実施形態の一例を示す斜視図。
【図２】図１のＡ−Ａ線拡大断面図。
【図３】図２のＢ部分の拡大断面図。
【図４】本発明のリフォーム用床材の施工状態を示す説明図。
【符号の説明】
１    リフォーム用床材
２    板状基材
３    木質化粧材
４    嵌合突出部
５    嵌合溝部
６    係止部材
６ａ  突起部
６ｂ  係止部
６ｃ  シート部
Ｌ    係止部の長さ
７    床下地材
８    絨毯やカーペット
８ａ  パイル
Ｓ  内側空間
【図１】
0003741968.tif 000002
【図２】
0003741968.tif 000003
【図３】
0003741968.tif 000004
【図４】
0003741968.tif 000005